(57)【要約】【課題】本考案は、リング部材を容易な作業で取り付けることができる留め具及びその留め具を備えた装飾用指輪を提供することを課題とする。【解決手段】本考案の留め具１は、プレート状の本体２の両端を本体２の中央に向かって丸めて湾曲部２ａ，２ｂを形成した全体形状をなしている。さらに、湾曲部２ａ，２ｂの先端部（終端部）３ａ，３ｂは、湾曲部２ａ，２ｂの湾曲内方に向かい、湾曲部２ａ，２ｂの湾曲よりも小さな径で丸められている。【選択図】図１
0003123240.tif 000002
【実用新案登録請求の範囲】
【請求項１】
装飾部に環状のリング部材を留める留め具であって、
長板状の本体と、
前記本体の両端を前記本体の中央に向かって丸めた湾曲部とを備え、
前記湾曲部は、前記本体の表面から所定の間隔を空けて位置していることを特徴とする留め具。
【請求項２】
前記湾曲部の両終端部は、当該湾曲部の径よりも小さな径でさらに丸められていることを特徴とする請求項１に記載の留め具。
【請求項３】
前記湾曲部の両終端部は、前記湾曲部の内方に向かって屈曲されていることを特徴とする請求項１に記載の留め具。
【請求項４】
前記本体の両端に設けられた二つの湾曲部は離間していることを特徴とする請求項１〜３の何れかに記載の留め具。
【請求項５】
前記リング部材は弾性部材であり、この弾性部材は伸びた状態のときに前記本体の表面と前記湾曲部との間に形成された前記所定の間隔を通過することを特徴とする請求項１〜４の何れかに記載の留め具。
【請求項６】
請求項１〜５の何れかに記載の留め具を備えたことを特徴とする装飾用指輪。
【考案の詳細な説明】
【技術分野】
【０００１】
本考案は、手や足の指に装着する装飾用指輪の装飾部に指を通すための部材を取り付ける留め具及びその留め具を用いた装飾用指輪に関する。
【背景技術】
【０００２】
近年、サンダルの普及に伴い足の指専用の指輪（通称トゥリング）の普及も高まっている。
【０００３】
従来のトゥリングは、リング部材が金属製であり、指輪の上端に設けられたアクセントとなる装飾部とリング部材とが溶着されているものが主流である。
【０００４】
また、従来のトゥリングは、リング部材は略Ｃ字型に形成されている。これは、個人毎の指の太さにあわせて、リング部材の径を狭めたり広げたりするためである。
【０００５】
しかしながら、リング部材が金属製であるため歩行等の動作によっては、リング部材に接触する他の指がリング部材に当たって痛いと感じる使用者も少なくなかった。
【０００６】
そこで、リング部材にゴムを用いたトゥリングが先に考案された。このトゥリングの装飾部の裏側には、ゴムを通す孔が設けられている。紐状のゴムは、この孔に挿通され、両端部を留め具により留められていた。この留め具は金属製の円筒形の部品であり、留め具内にゴムの両端を挿通させた状態で、ペンチ等の工具を用いて留め具を拉げてゴムの両端を固定していた。
【考案の開示】
【考案が解決しようとする課題】
【０００７】
しかしながら、上記トゥリングは、リング部材のゴムが切れてしまった場合、使用者は、留め具を用いて再度ゴムの両端を留める作業を業者に依頼して修理しなければならなかった。ゴムの両端を留める作業は非常に細かな作業であり、作業時間及び手間がかかってしまっていた。
【０００８】
また、多くの使用者は、ゴムが切れてしまった場合、それ以上使用せずに破棄してしまう場合も少なくなかった。
【０００９】
そこで、本考案者等は、リング部材を容易な作業で取り付けることができる留め具及びその留め具を備えた装飾用指輪を提供することを課題とする。
【課題を解決するための手段】
【００１０】
本考案は、上記事項に鑑みてなされたものであり、すなわち本考案は、装飾部に環状のリング部材を留める留め具であって、長板状の本体と、本体の両端を本体の中央に向かって丸めて形成された湾曲部とを備え、湾曲部は、本体の表面から所定の間隔を空けて位置していることを特徴としている。
【００１１】
装飾部は、例えば、天然石や人工石等の装飾石や、ビーズやスワロフスキー（ガラス）等とすることができる。
【００１２】
また、リング部材としては、弾性部材を好適に用いることができる。リング部材としての弾性部材は、環の部分が湾曲部に引っ掛かるようにして取り付けられる。弾性部材には
、シリコンゴムや、その他のゴム，紐（毛糸等），ビニール等、伸縮性のある部材であれば用いることができる。
【００１３】
このように、リング部材に伸縮性の部材を用いることで、多くの使用者のサイズに適応することができる。さらに、柔らかくて伸縮性のある部材をリング部材に用いることにより、従来のように、使用者が指にリング部材を嵌めた時に痛みを感じることがなくなる。
【００１４】
また、リング部材は、引き伸ばした状態のときに、本体の表面と湾曲部との間に形成された所定の間隔を通過し湾曲部内に収まる構成となっている。つまり、リング部材は、引き伸ばさない限り湾曲部から外れてしまうことはないが、意図的にリング部材を引き伸ばして前記所定の間隔を通過させることもできる。
【００１５】
これにより、リング部材の交換作業（取り外し）を簡易な作業で行うことができる。
【００１６】
また、本考案に係る湾曲部の両終端部は、当該湾曲部の径よりも小さな径でさらに丸められているか、或いは湾曲部の両終端部は、それぞれの湾曲部の内方に向かって屈曲されていると好ましい。つまり、本考案に係る湾曲部の両終端部は、湾曲部内に引っ掛かっているリング部材が容易に外れないようにするストッパーの役割を果たすように形成されている。勿論、湾曲部の両終端部は丸められているのではなく、リング部材の動きを抑制する突起等を設けてリング部材が湾曲部から外れないようにしてもよい。
【００１７】
このように、本考案の留め具によれば、使用者がリング部材である環状の弾性部材を引き伸ばす等の意図的な操作を行わない限り、リング部材が湾曲部から脱落してしまうことはない。
【００１８】
さらに、本考案に係る本体の両端に設けられた二つの湾曲部は離間している。二つの湾曲部が離間していることにより、それらの間からリング部材を湾曲部内に取り付けることができる。
【００１９】
また、湾曲部が二つ設けられていることにより、リング部材も二つ取り付けることができる。これにより、使用者がリング部材に指を入れて装着すると、リング部材に加わる力は二つに分散される。そのため、一つのリング部材に加わる負荷は小さくなるため、使用者にとっての装着感を快適にする（即ち、装着時に、使用者の指が締め付けられるというようなことを少なくする）ことができる。
【００２０】
また、リング部材を二つ設けることができるため、一つのリング部材が破損した場合であっても、即座に使用不能となることがなくなる。
【００２１】
さらに、本考案は、上記の留め部によりリング部材が取り付けられたことを特徴とする装飾用の指輪である。本考案の指輪は、手専用の指輪は勿論のこと、足の指に装着する用の指輪（通称トゥリング）とすることもできる。
【考案の効果】
【００２２】
本考案によれば、リング部材を容易な作業で取り付けることができる留め具及びその留め具を備えた装飾用指輪を提供することが可能となる。
【考案を実施するための最良の形態】
【００２３】
以下、本実施形態の留め具について図を参照し説明する。尚、本実施形態では、本考案の留め具を装飾用指輪（特に、トゥリング）に用いたものとして説明する。
【００２４】
図１〜３に本実施形態の留め具１を示す。留め具１は、プレート状の本体２の両端を本体２の中央に向かって丸めて湾曲部２ａ，２ｂを形成した全体形状をなしている。湾曲部２ａ，２ｂは、それらの湾曲部分が円形ではなく楕円形となるように押しつぶされた形状をなしている。
【００２５】
さらに、湾曲部２ａ，２ｂの先端部（終端部）３ａ，３ｂは、湾曲部２ａ，２ｂの湾曲内方に向かい、湾曲部２ａ，２ｂの湾曲よりも小さな径で丸められている。そのため、湾曲部２ａと湾曲部２ｂとの間には間隙Ｔが形成されている。尚、間隙Ｔは０．９ｍｍとすると好ましい。
【００２６】
そして、図４に示すように、これらの湾曲部２ａ，２ｂに環状のゴム（弾性部材）４ａ，４ｂを引っ掛ける。これらのゴム４ａ，４ｂは、先端部３ａ，３ｂの丸まりがストッパーとなり、湾曲部２ａ，２ｂからの脱落を抑制されている。
【００２７】
また、図１及び図２に示すように、本体２の中央付近は平面となっている。湾曲部２ａと湾曲部２ｂとはこの平面に向かって丸められており、そこからさらに丸められた両先端部３ａ，３ｂは、この平面から間隙Ｓを空けて位置している。本実施形態における間隙Ｓは、０．２３ｍｍとする。この数値は、引き伸ばした状態のゴム４ａ，４ｂがやっと通過できる数値である。つまり、ゴム４ａ，４ｂは、間隙Ｔから間隙Ｓを通って湾曲部２ａ，２ｂに取り付けられる。
【００２８】
また、図５に示すように、この平面の、湾曲部２ａ，２ｂがある側とは反対側の面に装飾部５が取り付けられる。装飾部５は、指輪のトップに位置しアクセントとなる石やビーズが金属製の台座に取り付けられたものである。さらに、本実施形態の留め具１及び装飾部５の台座は金属製（メッキ）であるため、ハンダ付けにより接着されている。つまり、リング部材となるゴム４ａ，４ｂを取り付けた留め具１を装飾部５に接着することにより、装飾用指輪１０が構成される。
【００２９】
本実施形態の留め具１は、リング部材となる環状のゴム４ａ，４ｂを引き伸ばして間隙Ｓの間を通過させて湾曲部２ａ，２ｂに引っ掛けるという作業でリング部材の交換を行うことができる。
【００３０】
そのため、本実施形態の留め具１によれば、リング部材を装飾部に取り付ける際、従来のように、一本のゴムを装飾部の台座に設けられた孔に通し、その両端を小さな金具で留めペンチで拉げるという細かな作業を行わなくてもよい。これにより、その作業に伴う時間と手間を削減することができ、生産効率を向上させることができる。
【００３１】
また、本実施形態の留め具１であればリング部材の取り替え作業は、環状のゴム４ａ，４ｂを引き伸ばして、間隙Ｔから間隙Ｓを通過させ湾曲部２ａ，２ｂ内に位置させるだけであるため、使用者でも容易に行うことができる。
【００３２】
それに伴い、装飾用指輪の販売者は、予備のゴムや径サイズの異なるゴムを同封して装飾用指輪を販売することもできる。
【００３３】
これにより、使用者は、自分の指の太さに応じたゴムを選択することができるため、リング部材のサイズが合わず指が痛くなったり、装着を諦めたりすることがなくなる。
【００３４】
加えて、使用者は、各指の太さに応じたゴムを選択することができるため、色々な指に装飾用指輪を装着することもできる。
【００３５】
さらに、予備のゴムを同封して装飾用指輪を販売することは、装飾用指輪を使い捨ててしまうことを極力少なくすることにも繋がる。
【００３６】
また、本実施形態の留め具１は、二つの湾曲部２ａ，２ｂを備え、二本のゴム４ａ，４ｂを取り付けることができるため、ゴムが一本切れてしまった場合でも、もう一本のゴムで装着を維持することができる。つまり、本実施形態の留め具１を用いることで、使用者の指から装飾用指輪を外れ難くすることができる。
【００３７】
さらに、本実施形態の留め具１の湾曲部２ａ，２ｂは、図１に示すように、押しつぶされて横長の楕円形となっているため、ゴム４ａ，４ｂを通して使用者が指に装着したときに、湾曲部２ａ，２ｂの丸みが指に押し当たることを極力少なくすることができる。これにより、使用者の装着感を向上させることができる。
【００３８】
尚、本考案の留め具は、上述の図示例にのみ限定されるものではなく、本考案の要旨を逸脱しない範囲内において種々変更を加え得ることは勿論である。
【図面の簡単な説明】
【００３９】
【図１】本実施形態の留め具の正面図である。
【図２】本実施形態の留め具の平面図である。
【図３】図１を底面からみた図である。
【図４】本実施形態の留め具にリング部材を取り付けた状態の図である。
【図５】本実施形態の留め具に装飾部を取り付け使用者の指に装着した状態の図である。
【符号の説明】
【００４０】
１  留め具
２  本体
２ａ，２ｂ  湾曲部
３ａ，３ｂ  先端部
４ａ，４ｂ  ゴム（リング部材）
５  装飾部
１０  装飾用指輪
Ｓ，Ｔ  間隙
【図１】
0003123240.tif 000003
【図２】
0003123240.tif 000004
【図３】
0003123240.tif 000005
【図４】
0003123240.tif 000006
【図５】
0003123240.tif 000007